(57)【要約】【課題】本発明は、点灯装置、照明器具および照明システムに関し、外部の機器と点灯装置との通信における放射ノイズの影響を抑制できる点灯装置、照明器具および照明システムを得ることを目的とする。【解決手段】本発明に係る点灯装置は、スイッチング素子のオンオフにより光源を点灯させる点灯回路と、外部からの信号を受信する調光端子と、該調光端子が受信した信号に応じて該点灯回路を制御する制御回路と、該点灯回路と、該調光端子と、該制御回路が設けられた回路基板と、を備え、該調光端子と該スイッチング素子との距離は、該調光端子と該制御回路との距離よりも大きい。【選択図】図３
2018129156.tif 000002
【特許請求の範囲】
【請求項１】
スイッチング素子のオンオフにより光源を点灯させる点灯回路と、
外部からの信号を受信する調光端子と、
前記調光端子が受信した信号に応じて前記点灯回路を制御する制御回路と、
前記点灯回路と、前記調光端子と、前記制御回路が設けられた回路基板と、
を備え、
前記調光端子と前記スイッチング素子との距離は、前記調光端子と前記制御回路との距離よりも大きいことを特徴とする点灯装置。
【請求項２】
前記調光端子は前記回路基板の上面に設けられ、
前記制御回路は前記回路基板の裏面に設けられ、
前記調光端子と前記制御回路は、平面視において重なることを特徴とする請求項１に記載の点灯装置。
【請求項３】
前記回路基板の上面は一対の第１辺と、前記一対の第１辺よりも短い一対の第２辺で囲まれた長方形であり、
前記スイッチング素子は、前記一対の第１辺の一方に沿って設けられ、
前記調光端子は、前記一対の第１辺の他方に沿って設けられることを特徴とする請求項１または２に記載の点灯装置。
【請求項４】
前記回路基板を収納するケースと、
前記ケースから露出し、前記調光端子と接続された調光端子台と、
前記光源が接続される光源接続部と
をさらに備え、
前記調光端子台は、前記光源接続部と前記回路基板の長手方向に対向する位置に設けられることを特徴とする請求項１〜３の何れか１項に記載の点灯装置。
【請求項５】
前記ケースから露出し、外部電源が入力される電源端子台をさらに備え、
前記調光端子台は、前記電源端子台に隣接して設けられることを特徴とする請求項４に記載の点灯装置。
【請求項６】
前記調光端子は、
照明制御機器が送信する制御信号を受信する第１の調光端子と、
制御ユニットが送信する外部状態に応じた指令信号または前記制御ユニットが送信するユーザーからの指令信号を受信する第２の調光端子と、
を含み、
前記制御回路は、前記制御信号または前記指令信号に応じて前記点灯回路を制御することを特徴とする請求項１〜５の何れか１項に記載の点灯装置。
【請求項７】
前記第１の調光端子はインターフェース回路を介して前記制御回路に接続され、
前記第２の調光端子は、前記インターフェース回路を介して前記制御回路に接続されることを特徴とする請求項６に記載の点灯装置。
【請求項８】
前記調光端子は、
第１の接地用端子と、
ＵＡＲＴ信号を受信する第１の受信端子と、
前記第１の受信端子とともにＰＷＭ信号または振幅信号を受信する第２の接地用端子と、
を備え、
前記制御回路は、前記ＰＷM信号、前記振幅信号または前記ＵＡＲＴ信号に応じて前記点灯回路を制御することを特徴とする請求項１〜５の何れか１項に記載の点灯装置。
【請求項９】
前記調光端子の通信方式を判定する通信方式決定回路をさらに備えることを特徴とする請求項８に記載の点灯装置。
【請求項１０】
前記調光端子は、ＵＡＲＴ信号を送信する第１の送信端子を備え、
前記制御回路は、前記点灯装置の情報を前記第１の送信端子から送信することを特徴とする請求項８または９に記載の点灯装置。
【請求項１１】
請求項１〜１０の何れか１項に記載の点灯装置と、
前記光源と、
を備えることを特徴とする照明器具。
【請求項１２】
前記光源と、
請求項８〜１０の何れか１項に記載の点灯装置と、
制御ユニットと、
を備え、
前記制御ユニットは、
外部状態に応じた信号またはユーザーが送信する信号を受信する外部信号検出部と、
前記外部信号検出部が受信した信号を前記ＵＡＲＴ信号に変換する制御部と、
前記調光端子と接続され、前記第１の接地用端子と、前記第２の接地用端子と、を短絡する通信端子と、
を備えることを特徴とする照明システム。
【請求項１３】
前記通信端子に設けられ、前記第１の受信端子と接続される第２の送信端子と、前記制御部と、の間に、前記ＵＡＲＴ信号に応じて前記制御ユニットの電源電圧または０Ｖを出力する送信回路を備えることを特徴とする請求項１２に記載の照明システム。
【発明の詳細な説明】
【技術分野】
【０００１】
本発明は、点灯装置、照明器具および照明システムに関する。
【背景技術】
【０００２】
特許文献１には、任意の場所を照明する照明部と、照明部に対する制御を指示する制御信号を受信する受信部とを備えた照明装置が開示されている。この照明装置は、複数種別の照明器具制御システムに対応できる。
【先行技術文献】
【特許文献】
【０００３】
【特許文献１】特開２０１５−５００１８号公報
【発明の概要】
【発明が解決しようとする課題】
【０００４】
特許文献１には、受信部と高電位で動作する回路との配置関係が開示されていない。配置関係によっては、照明制御機器と受信部とが信号線で接続された場合、照明装置のスイッチング等で発生する放射ノイズが信号線に重畳される可能性がある。
【０００５】
本発明は、上述の課題を解決するためになされたもので、外部の機器と点灯装置との通信における放射ノイズの影響を抑制できる点灯装置、照明器具および照明システムを得ることを目的とする。
【課題を解決するための手段】
【０００６】
本発明に係る点灯装置は、スイッチング素子のオンオフにより光源を点灯させる点灯回路と、外部からの信号を受信する調光端子と、該調光端子が受信した信号に応じて該点灯回路を制御する制御回路と、該点灯回路と、該調光端子と、該制御回路が設けられた回路基板と、を備え、該調光端子と該スイッチング素子との距離は、該調光端子と該制御回路との距離よりも大きい。
【発明の効果】
【０００７】
本発明に係る点灯装置では、外部からの信号を受信する調光端子と、スイッチング素子との距離が大きい。このため、スイッチング素子が発するノイズから調光端子が受ける影響を抑制できる。従って、外部の機器と点灯装置との通信における放射ノイズの影響を抑制できる。
【図面の簡単な説明】
【０００８】
【図１】実施の形態１に係る照明器具の回路ブロック図である。
【図２】実施の形態１に係る点灯装置の分解斜視図である。
【図３】実施の形態１に係る点灯装置の平面図である。
【図４】実施の形態１に係る回路基板の断面図である。
【図５】実施の形態１に係る点灯装置の正面図および側面図である。
【図６】実施の形態２に係る照明器具の回路ブロック図である。
【図７】実施の形態２に係る回路基板の平面図である。
【図８】実施の形態３に係る照明器具の回路ブロック図である。
【図９】実施の形態４に係る照明器具の回路ブロック図である。
【図１０】実施の形態５に係る照明器具の回路ブロック図である。
【図１１】実施の形態６に係る照明システムの回路ブロック図である。
【図１２】実施の形態６に係る制御ユニットの斜視図である。
【図１３】実施の形態６に係る制御ユニットの回路ブロック図である。
【図１４】実施の形態７に係る制御ユニットの回路ブロック図である。
【発明を実施するための形態】
【０００９】
本発明の実施の形態に係る点灯装置、照明器具および照明システムについて図面を参照して説明する。同じ又は対応する構成要素には同じ符号を付し、説明の繰り返しを省略する場合がある。
【００１０】
実施の形態１．
図１は、実施の形態１に係る照明器具１００の回路ブロック図である。本実施の形態に係る照明器具１００は、点灯装置４２を備える。点灯装置４２の出力には、光源３が接続されている。光源３は例えば、ＬＥＤである。点灯装置４２は、外部電源５１に接続された整流回路１を備える。外部電源５１は、商用電源である。整流回路１は外部電源５１を整流する。整流回路１の出力には、点灯回路２が接続される。点灯回路２は、外部電源５１から電源供給を受けて光源３を点灯させる。
【００１１】
点灯装置４２は、外部からの信号を受信する調光端子を備える。本実施の形態では、調光端子は、第１の調光端子５である。第１の調光端子５は、照明制御機器からの制御信号を受信する。照明制御機器は、例えば光源３のオンオフまたは調光率を設定する機器である。第１の調光端子５で受信する制御信号はＰＷＭ（Ｐｕｌｓｅ  Ｗｉｄｔｈ  Ｍｏｄｕｌａｔｉｏｎ）信号または振幅信号である。第１の調光端子５には、調光信号用整流回路６が接続される。調光信号用整流回路６は入力された制御信号の極性を無効にする。
【００１２】
調光信号用整流回路６の出力にはインターフェース回路７の入力が接続される。インターフェース回路７は、発光ダイオード５２を備える。発光ダイオード５２のアノードは抵抗を介して、調光信号用整流回路６の一方の出力端に接続される。発光ダイオード５２のカソードは、調光信号用整流回路６の他方の出力端に接続される。インターフェース回路７は、発光ダイオード５２と絶縁されたフォトトランジスタ５３を備える。フォトトランジスタ５３のコレクタは電源Ｖｃｃ１に接続される。フォトトランジスタ５３のエミッタは制御回路４に接続される。また、フォトトランジスタ５３のエミッタは抵抗を介して回路グランドに接続される。
【００１３】
発光ダイオード５２とフォトトランジスタ５３は、フォトカプラを構成する。インターフェース回路７の入力側と出力側はフォトカプラによって絶縁される。従って、インターフェース回路７によって、第１の調光端子５と制御回路４は絶縁される。インターフェース回路７は、第１の調光端子５で受信した制御信号をＨｉｇｈまたはＬｏｗの信号に変換する。この信号は、制御回路４に入力される。
【００１４】
制御回路４は、インターフェース回路７からの信号に応じて点灯回路２を制御する。つまり、制御回路４は、第１の調光端子５が受信した制御信号に応じて点灯回路２を制御することとなる。制御回路４は例えばマイコンを備える。制御回路４は回路グランドと接続される。
【００１５】
点灯装置４２は、整流回路１の出力電圧から電源Ｖｄｄを生成する第１の電源回路８を備える。また、点灯装置４２は、電源Ｖｄｄから電源Ｖｃｃ１を生成する第２の電源回路９を備える。電源Ｖｃｃ１は、制御回路４の電源となる。図示されていないが、電源Ｖｄｄは、点灯回路２が備えるスイッチング素子を駆動するために使用される。点灯回路２は、スイッチング素子のオンオフにより光源３を点灯させる。電源Ｖｄｄの電圧は、例えば約１５Ｖである。電源Ｖｃｃ１の電圧は、制御回路４のマイコン等が駆動できるように、例えば約５Ｖ〜３．３Ｖに設定される。
【００１６】
図２は、実施の形態１に係る点灯装置４２の分解斜視図である。点灯装置４２は、回路基板１４を備える。回路基板１４には、整流回路１、点灯回路２、制御回路４、第１の調光端子５、調光信号用整流回路６、インターフェース回路７、第１の電源回路８および第２の電源回路９が設けられている。点灯装置４２は、ケースボトム１６を備える。ケースボトム１６の上には絶縁板１５が設けられる。絶縁板１５の上には回路基板１４が設けられる。絶縁板１５は、回路基板１４とケースボトム１６を電気的に絶縁する。
【００１７】
回路基板１４の上には、ケーストップ端子台１３が設けられる。ケーストップ端子台１３の上には電源端子台１２と調光端子台１１が設けられる。電源端子台１２には、外部電源５１が入力される。調光端子台１１には、照明制御機器からの制御信号が入力される。また、回路基板１４の上には、ケーストップ１０が設けられる。ケーストップ１０は、回路基板１４の充電部を覆うように収納する。ここで充電部は、電圧を発生させる整流回路１、点灯回路２、第１の電源回路８および第２の電源回路９を示す。ケースボトム１６とケーストップ１０は、アルミまたは鉄等の板金から形成される。
【００１８】
図３は、実施の形態１に係る点灯装置４２の平面図である。便宜上、図３においてケーストップ１０は省略されている。第１の調光端子５と調光端子台１１は、調光線２８で電気的に接続される。このため、調光端子台１１に入力された照明制御機器からの制御信号は、調光線２８を介して第１の調光端子５に入力される。調光端子台１１は、電源端子台１２に隣接して設けられる。また、調光端子台１１は、電源端子台１２の近傍に配置されるものとしても良い。
【００１９】
回路基板１４には、制御回路配置部３９が設けられる。制御回路配置部３９は、制御回路４が設けられる範囲を示す。回路基板１４の裏面において、制御回路配置部３９には、制御回路４が設けられている。第１の調光端子５は、回路基板１４の上面において、制御回路配置部３９に設けられる。
【００２０】
回路基板１４の上面は一対の第１辺１４ａと、第１辺１４ａよりも短い一対の第２辺１４ｂで囲まれた長方形である。回路基板１４には、一対の第１辺１４ａの一方に沿ってスイッチング素子４３が設けられている。点灯回路２は、スイッチング素子４３のオンオフにより光源３を点灯させる。第１の調光端子５は、一対の第１辺１４ａの他方に沿って設けられる。第１の調光端子５は、一対の第１辺１４ａの他方に隣接して設けられるものとしても良い。
【００２１】
また、回路基板１４にはスイッチングトランス４４が設けられる。スイッチングトランス４４には、スイッチング素子４３によってスイッチングされた電流が流れる。第１の調光端子５は、スイッチングトランス４４から離して配置される。第１の調光端子５は、制御回路配置部３９のうち、スイッチングトランス４４からの距離が大きい側に寄せて設けられる。また、スイッチングトランス４４は、制御回路配置部３９には設けられない。
【００２２】
点灯装置４２は、光源接続用ハーネス４１を備える。光源接続用ハーネス４１は、光源３が接続される光源接続部である。調光端子台１１は、光源接続用ハーネス４１と回路基板１４の長手方向に対向する位置に設けられる。調光端子台１１は、一対の第２辺１４ｂの一方に沿って設けられる。また、光源接続用ハーネス４１は、一対の第２辺１４ｂの他方から引き出される。
【００２３】
本実施の形態では、調光端子台１１は光源接続用ハーネス４１から離して設けられる。この時、光源接続用ハーネス４１と調光端子台１１との間には、点灯回路２が設けられる。つまり、光源接続用ハーネス４１と、調光端子台１１との間には、スイッチング素子４３、スイッチングトランス４４および制御回路４が設けられる。
【００２４】
図４は、実施の形態１に係る回路基板１４の断面図である。第１の調光端子５は回路基板１４の上面１４ｃに設けられる。制御回路４は回路基板１４の裏面１４ｄに設けられる。第１の調光端子５と制御回路４は、平面視において重なるように設けられる。第１の調光端子５は制御回路４の直上に設けられるものとしても良い。
【００２５】
図５は、実施の形態１に係る点灯装置４２の正面図および側面図である。ケーストップ１０、ケーストップ端子台１３およびケースボトム１６はケースを構成する。回路基板１４は、ケーストップ１０、ケーストップ端子台１３およびケースボトム１６に囲まれ、ケースに収納される。ケーストップ１０とケーストップ端子台１３は互いに隣接して設けられ、回路基板１４の上面を覆う。また、光源接続用ハーネス４１はケーストップ１０から露出する。また、図５の側面図に示されるように、電源端子台１２と調光端子台１１は、ケースから露出する。このため、点灯装置４２の外部から電源端子台１２と調光端子台１１に配線できる。
【００２６】
実施の形態１における点灯装置４２は、第１の調光端子５が制御回路配置部３９に配置され、電源端子台１２に隣り合うように配置された調光端子台１１と接続されることを特徴とする。制御回路４は、電源Ｖｃｃ１の電圧である約５Ｖ〜３．３Ｖの低電圧で駆動される。制御回路４は、整流回路１、点灯回路２または第１の電源回路８に比べて電位が低い。このため、スイッチング等で発生するノイズが放射されにくい。このため、第１の調光端子５を制御回路４の近傍に配置することで、第１の調光端子５が受ける放射ノイズの影響を抑制できる。
【００２７】
また、スイッチング素子４３およびスイッチングトランス４４では、スイッチングで発生するノイズが放射され易い。このため、第１の調光端子５を、スイッチング素子４３およびスイッチングトランス４４から離して配置することで、第１の調光端子５が受ける放射ノイズの影響を抑制できる。ここで、第１の調光端子５の配置は図３で示されるものに限らない。第１の調光端子５は、第１の調光端子５とスイッチング素子４３との距離が、第１の調光端子５と制御回路４との距離よりも大きくなるように配置されれば良い。このとき、第１の調光端子５が受ける放射ノイズの影響を抑制する効果を得ることができる。
【００２８】
さらに、光源接続用ハーネスの近傍では、光源３、スイッチング素子４３およびスイッチングトランス４４で発生しているノイズの影響が強い場合がある。本実施の形態では、調光端子台１１は、光源接続用ハーネス４１と回路基板１４の長手方向に対向する位置に設けられる。これにより、光源３、スイッチング素子４３およびスイッチングトランス４４から発生するノイズによる調光端子台１１への影響を抑制できる。従って、光源接続用ハーネス４１の近傍に調光端子台１１を配置するよりも、調光端子台１１が受けるノイズの影響を低減できる。
【００２９】
また、調光端子台１１は電源端子台１２の近傍に設けられる。外部電源５１である商用電源の周波数は、スイッチング素子４３のスイッチング周波数と比較して小さい。このため、調光端子台１１を外部電源５１に接続される電源端子台１２に隣接して設けることで、スイッチング素子４３等の近傍に配置される場合よりも調光端子台１１が受ける高周波ノイズの影響を低減できる。
【００３０】
以上から、本実施の形態に係る点灯装置４２は安定して照明制御機器との通信ができる。本実施の形態の変形例として、第１の調光端子５は回路基板１４の長手方向の中心線に対してスイッチング素子４３と反対側に設けられるものとしても良い。
【００３１】
これらの変形は以下の実施の形態に係る点灯装置、照明器具および照明システムについて適宜応用することができる。なお、以下の実施の形態に係る点灯装置、照明器具および照明システムについては実施の形態１との共通点が多いので、実施の形態１との相違点を中心に説明する。
【００３２】
実施の形態２．
図６は、実施の形態２に係る照明器具２００の回路ブロック図である。本実施の形態に係る照明器具２００は、点灯装置２４２を備える。本実施の形態では、調光端子の構造が実施の形態１と異なる。その他の構造は、実施の形態１と同様である。本実施の形態に係る調光端子は、第１の調光端子５と第２の調光端子２３８を含む。
【００３３】
第１の調光端子５は、照明制御機器が送信する制御信号を受信する。第２の調光端子２３８は、制御ユニットが送信する外部状態に応じた指令信号または制御ユニットが送信するユーザーからの指令信号を受信する。ここで、制御ユニットは、点灯装置２４２の機能を拡張するための機器である。
【００３４】
制御ユニットは、例えば、無線信号を受信してＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）信号により点灯装置２４２を制御する。ここでＵＡＲＴ信号は、ＵＡＲＴを用いた通信において使用される方式の信号である。また、制御ユニットはセンサ等を備えても良い。この場合、制御ユニットはセンサで外部状態を検知して、ＵＡＲＴ信号により点灯装置２４２を制御する。
【００３５】
第２の調光端子２３８は、４つの端子を有する。第２の調光端子２３８は、４つよりも多い端子を備えても良い。第２の調光端子２３８は、制御ユニットに電源を供給する電源出力端子２１７を備える。電源出力端子２１７は、電源Ｖｄｄと接続される。このため、電源Ｖｄｄは制御ユニットの電源となる。また、第２の調光端子２３８は、第１の受信端子２１８を備える。第１の受信端子２１８は、制御ユニットからの指令信号を受信する。第１の受信端子２１８は、制御回路４に直接接続される。
【００３６】
また、第２の調光端子２３８は、第１の接地用端子２１９を備える。第１の接地用端子２１９は、制御ユニットを接地するための端子である。第１の接地用端子２１９は、回路グランドと接続される。第１の接地用端子２１９によって、制御ユニットは点灯装置２４２と共通の回路グランドに接続される。さらに、第２の調光端子２３８は、第１の送信端子２２０を備える。第１の送信端子２２０は、制御ユニットに信号を送信する。第１の送信端子２２０は、制御回路４に直接接続される。
【００３７】
第１の受信端子２１８が受信する指令信号および第１の送信端子２２０が送信する信号は、ＵＡＲＴ信号である。制御ユニットからの指令信号は、第１の受信端子２１８で受信され制御回路４に入力される。制御回路４は指令信号に応じて点灯回路２を制御する。この結果、光源３の点灯が制御される。
【００３８】
さらに、制御回路４は、点灯装置２４２の情報を第１の送信端子２２０から制御ユニットに送信する。点灯装置２４２の情報は、例えば点灯装置２４２の消費電力等の演算結果である。点灯装置２４２には、照明制御機器または制御ユニットの少なくとも一方が接続される。制御回路４は、第１の調光端子５からの制御信号または第２の調光端子２３８からの指令信号の一方に従い、点灯回路２を制御し、光源３の点灯を制御する。
【００３９】
図７は、実施の形態２に係る回路基板２１４の平面図である。第１の調光端子５と第２の調光端子２３８は、制御回路配置部３９に配置される。第２の調光端子２３８は制御回路配置部３９の長手方向において第１の調光端子５と反対側に寄せて設けられる。第２の調光端子２３８は回路基板２１４の上面に設けられる。第２の調光端子２３８と制御回路４は、平面視において重なるように設けられる。
【００４０】
回路基板２１４の上面は一対の第１辺２１４ａと、第１辺２１４ａよりも短い一対の第２辺２１４ｂで囲まれた長方形である。回路基板２１４には、一対の第１辺２１４ａの一方に沿ってスイッチング素子４３が設けられている。第２の調光端子２３８は、一対の第１辺２１４ａの他方に沿って設けられる。また、第２の調光端子２３８は、一対の第１辺２１４ａの他方に隣接して設けられるものとしても良い。第２の調光端子２３８とスイッチング素子４３との距離は、第２の調光端子２３８と制御回路４との距離よりも大きい。また、第２の調光端子２３８は第１の調光端子５の近傍に設けられても良い。
【００４１】
実施の形態２における点灯装置２４２は、ＰＷＭ信号または振幅信号を受信する第１の調光端子５とＵＡＲＴ信号を送受信する第２の調光端子２３８を制御回路配置部３９に配置したことを特徴とする。本実施の形態に係る点灯装置２４２は、ＰＷＭ信号または振幅信号に加え、ＵＡＲＴ方式の通信が可能である。このため、照明制御機器以外から光源３を制御できる。点灯装置２４２がＵＡＲＴ信号を送受信することで、制御ユニットにより点灯装置２４２の機能を拡張できる。
【００４２】
また、第２の調光端子２３８を制御回路４の近傍に配置することで、第２の調光端子２３８が受ける放射ノイズの影響を抑制できる。さらに、第２の調光端子２３８を、スイッチング素子４３から離して配置することで、第２の調光端子２３８が受ける放射ノイズの影響をさらに抑制できる。従って、本実施の形態に係る点灯装置２４２は、安定して制御ユニットとの通信ができる。
【００４３】
実施の形態３．
図８は、実施の形態３に係る照明器具３００の回路ブロック図である。本実施の形態に係る照明器具３００は、点灯装置３４２を備える。本実施の形態では、調光端子の構造が実施の形態１と異なる。その他の構造は、実施の形態１と同様である。本実施の形態に係る調光端子は、第１の通信端子３２２を備える。第１の通信端子３２２は、照明制御機器または制御ユニットと接続される。
【００４４】
第１の通信端子３２２は、５つの端子を有する。第１の通信端子３２２は５つよりも多い端子を備えても良い。第１の通信端子３２２は、電源出力端子２１７と、第１の接地用端子２１９と、第１の送信端子２２０とを備える。また、第１の通信端子３２２は、第１の受信端子３１８を備える。第１の通信端子３２２に制御ユニットが接続された場合、第１の受信端子３１８は制御ユニットからの指令信号を受信する。指令信号は、ＵＡＲＴ信号である。第１の受信端子３１８は、調光信号用整流回路６およびインターフェース回路７を介して制御回路４に接続される。
【００４５】
第１の通信端子３２２は、第２の接地用端子３２１を備える。第２の接地用端子３２１は、第１の通信端子３２２が照明制御機器と接続された場合、第１の受信端子３１８とともに照明制御機器からの制御信号を受信する。この制御信号は、ＰＷＭ信号または振幅信号である。また、第１の通信端子３２２が制御ユニットと接続された場合、第２の接地用端子３２１は、第１の接地用端子２１９と制御ユニットにおいて短絡される。つまり、第１の通信端子３２２が制御ユニットと接続された場合、第２の接地用端子３２１は、回路グランドと接続される。
【００４６】
本実施の形態では、調光信号用整流回路６は、入力された制御信号および指令信号の極性を無効にする。また、インターフェース回路７は、第１の受信端子３１８と第２の接地用端子３２１で受信した信号をＨｉｇｈまたはＬｏｗの信号に変換し、制御回路４に出力する。制御回路４は、インターフェース回路７が出力する信号に応じて、点灯回路２を制御する。
【００４７】
本実施の形態に係る点灯装置３４２は、通信方式が異なる２種類の信号を送受信する第１の通信端子３２２を有する。第１の通信端子３２２によって受信された制御信号または指令信号は、共通のインターフェース回路７を介して制御回路４に入力される。制御回路４は、ＰＭＷ信号、振幅信号またはＵＡＲＴ信号に応じて点灯回路２を制御する。
【００４８】
本実施の形態では、通信方式が異なる２種類の信号を受信する場合に、２つの独立した調光端子が不要になる。このため、実施の形態２と比較して回路基板を小さくできる。さらに、本実施の形態では、通信方式が異なる２つの回路基板を別個に設計する必要がない。このため、開発コストを低減できる。
【００４９】
実施の形態４．
図９は、実施の形態４に係る照明器具４００の回路ブロック図である。本実施の形態に係る照明器具４００は、点灯装置４４２を備える。本実施の形態では、調光端子の構造が実施の形態１と異なる。その他の構造は、実施の形態１と同様である。本実施の形態に係る調光端子は、第１の調光端子５と第２の調光端子を含む。本実施の形態では、第２の調光端子は、第２の通信端子４４５である。第１の調光端子５は、照明制御機器と接続される。第２の通信端子４４５は、制御ユニットと接続される。
【００５０】
第１の調光端子５は、第１の受信端子１８と第２の接地用端子２１を備える。第１の受信端子１８と第２の接地用端子２１には、照明制御機器からのＰＷＭ信号または振幅信号が入力される。第１の受信端子１８と第２の接地用端子２１は調光信号用整流回路６とインターフェース回路７を介して制御回路４に接続される。
【００５１】
第２の通信端子４４５は、電源出力端子２１７と、第１の接地用端子２１９と、第１の送信端子２２０とを備える。また、第２の通信端子４４５は、第２の受信端子４２３を備える。第２の受信端子４２３は、制御ユニットからの指令信号を受信する。指令信号はＵＡＲＴ信号である。第２の受信端子４２３は、第１の受信端子１８に接続される。第２の受信端子４２３は、調光信号用整流回路６とインターフェース回路７を介して制御回路４に接続される。
【００５２】
第２の通信端子４４５は、第３の接地用端子４２４を備える。第３の接地用端子４２４は、第２の接地用端子２１に接続される。第３の接地用端子４２４は、制御ユニットと点灯装置４４２の回路グランドを共通にするための端子である。第３の接地用端子４２４と第１の接地用端子２１９は、第２の通信端子４４５が制御ユニットと接続された場合、短絡される。第３の接地用端子４２４は、調光信号用整流回路６とインターフェース回路７を介して制御回路４に接続される。
【００５３】
本実施の形態に係る点灯装置４４２は、通信方式が異なる２つの信号を送受信する独立した第１の調光端子５と第２の通信端子４４５を有する。第１の調光端子５および第２の通信端子４４５が受信した信号は、共通のインターフェース回路７を介して制御回路４に入力される。本実施の形態では、第１の調光端子５と第２の通信端子４４５が共通のインターフェース回路７を備える。このため、実施の形態２と比較して、回路基板を小型化できる。
【００５４】
本実施の形態では、照明制御機器を第１の調光端子５または第２の通信端子４４５に接続して使用できる。第２の通信端子４４５において、照明制御機器は、第２の受信端子４２３と第２の接地用端子２１に接続される。このため、実施の形態２と比較して、点灯装置４４２の使用方法の自由度を向上できる。
【００５５】
実施の形態５．
図１０は、実施の形態５に係る照明器具５００の回路ブロック図である。本実施の形態に係る照明器具５００は、点灯装置５４２を備える。点灯装置５４２は、通信方式決定回路５４０を備える。通信方式決定回路５４０は、第１の通信端子３２２の通信方式を判定する。その他の構造は、実施の形態３と同様である。通信方式決定回路５４０の入力は回路グランドと接続される。通信方式決定回路５４０の出力は、制御回路４に接続される。
【００５６】
通信方式決定回路５４０は、通信方式に応じて制御回路４に信号を送信する。この信号に応じて、制御回路４は通信方式を判定する。例えば、通信方式決定回路５４０の出力電位によって制御回路４は通信方式を判定するものとしても良い。この場合、通信方式決定回路５４０は、通信方式に応じてＨｉｇｈまたはＬｏｗを出力する。
【００５７】
例えば、第１の通信端子３２２の通信方式がＰＷＭ信号または振幅信号による通信方式である場合、通信方式決定回路５４０はＬｏｗを出力する。このとき、通信方式決定回路５４０の出力信号から、制御回路４は通信方式がＰＷＭ信号または振幅信号による通信方式であると認識する。また、第１の通信端子３２２の通信方式がＵＡＲＴ信号による通信方式である場合、通信方式決定回路５４０はＨｉｇｈを出力する。通信方式決定回路５４０の出力信号から、制御回路４は通信方式がＵＡＲＴ信号による通信方式であると認識する。
【００５８】
この結果、制御回路４は、制御回路４で実行するプログラムとして各々の通信方式に対応したソフトウェアを選択する。本実施の形態では、通信方式決定回路５４０によって制御回路４が実行するプログラムを各々の通信方式に適したソフトウェアに自動で変更できる。このため、通信方式の変更時に手動によるソフトウェアの変更が不要となる。また、複数の通信方式で共通して点灯装置５４２を使用できる。従って、点灯装置５４２を標準化できる。
【００５９】
実施の形態６．
図１１は、実施の形態６に係る照明システム６５０の回路ブロック図である。照明システム６５０は、照明器具３００と、制御ユニット６２５を備える。点灯装置３４２に設けられた第１の通信端子３２２は、制御ユニット６２５に設けられた通信端子と接続される。本実施の形態では、通信端子は第３の通信端子６２９である。
【００６０】
図１２は、実施の形態６に係る制御ユニット６２５の斜視図である。制御ユニット６２５は、外部からの信号を受信する外部信号検出部６２６を備える。外部信号検出部６２６は、外部状態に応じた信号またはユーザーが送信する信号を受信する。外部信号検出部６２６は制御ユニット６２５の本体部分から露出する。外部信号検出部６２６は、点灯装置３４２が直接受信しても指令信号として用いることができない通信方式の信号を検出する。また、制御ユニット６２５は点灯装置３４２と接続される通信端子接続用ハーネス６２７を備える。
【００６１】
本実施の形態では、外部信号検出部６２６は端子である。この変形例として、外部信号検出部６２６は、無線信号を受信するアンテナまたはセンサ等の受光素子であっても良い。外部信号検出部６２６は、外部状態もしくはユーザーからの指令を受信できれば良い。
【００６２】
図１３は、実施の形態６に係る制御ユニット６２５の回路ブロック図である。外部信号検出部６２６には制御部６３６が接続される。制御部６３６は、外部信号検出部６２６が受信した信号をＵＡＲＴ信号に変換し、点灯装置４２と通信する。制御部６３６は、例えばマイコンを備える。制御ユニット６２５は、第３の電源回路６３５を備える。第３の電源回路６３５は、点灯装置３４２から供給される電源Ｖｄｄの電圧を、制御部６３６に供給される電源Ｖｃｃ２の電圧に変換する。電源Ｖｃｃ２の電圧は、制御部３６のマイコン等が駆動できるように、例えば約５Ｖ〜３．３Ｖに設定される。
【００６３】
制御ユニット６２５は第３の通信端子６２９を備える。第３の通信端子６２９は、第１の通信端子３２２と接続される。第３の通信端子６２９は、５つの端子を有する。第３の通信端子６２９は５つよりも多い端子を備えても良い。第３の通信端子６２９は、電源出力端子２１７と接続される電源入力端子６３０を備える。電源入力端子６３０には、点灯装置３４２から電源Ｖｄｄが供給される。電源入力端子６３０は、第３の電源回路６３５に接続される。
【００６４】
また、第３の通信端子６２９は、制御部６３６と直接接続される第２の送信端子６３１を備える。第２の送信端子６３１は、第１の受信端子３１８と接続される。第２の送信端子６３１からは、ＵＡＲＴ信号が送信される。また、第３の通信端子６２９は、制御部６３６と直接接続される第３の受信端子６３４を備える。第３の受信端子６３４は、第１の送信端子２２０と接続される。さらに、第３の通信端子６２９は、第４の接地用端子６３２と第５の接地用端子６３３を備える。第４の接地用端子６３２と第５の接地用端子６３３は、制御ユニット６２５と点灯装置３４２の回路グランドの電位を一致させるための端子である。
【００６５】
第４の接地用端子６３２は第２の接地用端子３２１と接続される。第５の接地用端子６３３は第１の接地用端子２１９と接続される。第４の接地用端子６３２と第５の接地用端子６３３は短絡されている。従って、第１の通信端子３２２に制御ユニット６２５が接続された場合、第１の接地用端子２１９と第２の接地用端子３２１は短絡される。第４の接地用端子６３２と第５の接地用端子６３３は制御部６３６に接続される。
【００６６】
制御ユニット６２５は、互いに接続された接地用端子を２つ有する。これにより、通信方式が異なる２つの信号を送受信する第１の通信端子３２２と接続が可能となる。点灯装置３４２と制御ユニット６２５を接続することで、外部信号に応じてＵＡＲＴ信号によって点灯装置３４２を制御できる。制御ユニット６２５の構成はこれに限らず、外部信号検出部６２６で検出した外部信号を、点灯装置３４２を制御するＵＡＲＴ信号に変換する機能があればよい。
【００６７】
本実施の形態では、制御ユニット６２５は第１の通信端子３２２と接続されたが、制御ユニット６２５は第２の通信端子４４５と接続されても良い。この場合、第２の送信端子６３１は、第２の受信端子４２３と接続される。また、第４の接地用端子６３２は第３の接地用端子４２４と接続される。
【００６８】
実施の形態７．
図１４は、実施の形態７に係る制御ユニット７２５の回路ブロック図である。制御ユニット７２５は送信回路７３７を備える。その他の構造は、実施の形態６と同様である。送信回路７３７は、制御部６３６と第２の送信端子６３１との間に設けられる。送信回路７３７は、トランジスタ７５４を備える。トランジスタ７５４のベースは、制御部６３６と接続される。トランジスタ７５４のエミッタは、第４の接地用端子６３２および第５の接地用端子６３３と接続される。
【００６９】
トランジスタ７５４のコレクタは抵抗を介してＦＥＴ（Ｆｉｅｌｄ  Ｅｆｆｅｃｔ  Ｔｒａｎｓｉｓｔｏｒ）７５５のゲートに接続される。ＦＥＴ７５５のソースは電源Ｖｄｄに接続される。ＦＥＴ７５５のドレインは、第２の送信端子６３１に接続される。ＦＥＴ７５５のゲートとソースは抵抗を介して接続されている。送信回路７３７は、制御部６３６が出力するＵＡＲＴ信号に応じて、第２の送信端子６３１に制御ユニット７２５の電源電圧または０Ｖを出力する。ここで、制御ユニット７２５の電源電圧は、電源Ｖｄｄの電圧である。
【００７０】
点灯装置３４２では、ＵＡＲＴ信号と、ＰＷＭ信号または振幅信号が共通のインターフェース回路７を介して制御回路４に入力される。このとき、ＵＡＲＴ信号の電位によっては、点灯装置３４２がＵＡＲＴ信号を検知し難い場合がある。これに対し、本実施の形態では、送信回路７３７によってＵＡＲＴ信号が電源Ｖｄｄの電圧または０Ｖに変換される。このため、ＵＡＲＴ信号を照明制御機器から点灯装置３４２に入力されるＰＷＭ信号または振幅信号と同じ電位に変換して送信できる。従って、点灯装置３４２においてＵＡＲＴ信号を検知し易くなり、通信性能を向上できる。
【００７１】
また、インターフェース回路７はフォトカプラを用いた絶縁回路を備える。一般に、ＵＡＲＴ信号のような伝送速度の速い通信方式では、汎用のフォトカプラを使用できない場合がある。これに対し、本実施の形態では、送信回路７３７によってインターフェース回路７に入力されるＵＡＲＴ信号の電位を高くできる。この時、ＵＡＲＴ方式の通信においても、インターフェース回路７に汎用のフォトカプラを使用できる。従って、ＰＷＭ信号または振幅信号と、ＵＡＲＴ信号とのインターフェース回路７の共通化が容易になる。なお、各実施の形態で説明した技術的特徴は適宜に組み合わせて用いてもよい。
【符号の説明】
【００７２】
１００、２００、３００、４００、５００  照明器具、４２、２４２、３４２、４４２、５４２  点灯装置、６５０  照明システム、２  点灯回路、３  光源、４  制御回路、５  第１の調光端子、７  インターフェース回路、１１  調光端子台、１２  電源端子台、１４、２１４  回路基板、１４ａ  第１辺、１４ｂ  第２辺、１４ｃ  上面、１４ｄ  裏面、４１  光源接続用ハーネス、４３  スイッチング素子、２１８  第１の受信端子、２１９  第１の接地用端子、２２０  第１の送信端子、２３８  第２の調光端子、３２１  第２の接地用端子、３２２  第１の通信端子、４４５  第２の通信端子、５４０  通信方式決定回路、６２５、７２５  制御ユニット、６２６  外部信号検出部、６２９  第３の通信端子、６３１  第２の送信端子、６３６  制御部、７３７  送信回路
【図１】
2018129156.tif 000003
【図２】
2018129156.tif 000004
【図３】
2018129156.tif 000005
【図４】
2018129156.tif 000006
【図５】
2018129156.tif 000007
【図６】
2018129156.tif 000008
【図７】
2018129156.tif 000009
【図８】
2018129156.tif 000010
【図９】
2018129156.tif 000011
【図１０】
2018129156.tif 000012
【図１１】
2018129156.tif 000013
【図１２】
2018129156.tif 000014
【図１３】
2018129156.tif 000015
【図１４】
2018129156.tif 000016